(57)【要約】      （修正有）【課題】スライドレールの退縮収納時に、一定の位置まで引込まれた際に、自動的かつ確実に最後端部まで引込んで引込み動作を自動的に完了させるとともに復旧機構を装備した引込み機構付きスライドレールを提供する。【解決手段】インナーメンバ２０に突設される係着部１１０と、係着部を支持する係着部支持レール１２０と、係着部をインナーメンバの引込み方向へ付勢する弾性部材１３０と、からなり、係着部支持レールは、第一立上部１２２ａおよび第二立上部１２２ｂと、保持溝１２４と、からなり、係着部は、係着受部２２に係着する係着凸部１１２と、保持溝係合部１１４と、インナーメンバの引込み時に保持溝と保持溝係合部との係合を解除して元の位置に引込む解除スロープ１１６と、からなり、弾性部材は、弾性部材の一端部を第一立上部側に固定設置するとともに、他端部を係着部の第二立上部寄りの位置に固定装着する構成である。【選択図】図１
2019205630.tif 000002
【特許請求の範囲】
【請求項１】
アウターメンバ(10)と、該アウターメンバに摺動自在に保持されるインナーメンバ(20)と、前記アウターメンバとインナーメンバとの間に回転自在に設置されるボール(32)と、該ボールを整列保持するボールリテーナ(30)と、からなり、引込み時にインナーメンバを付勢して元の位置に強制的に引込むための引込み機構(100)が前記アウターメンバ(10)に設置される引込み機構付きスライドレールにおいて、
前記引込み機構(100)は、前記アウターメンバ(10)の長手方向に穿設された長孔(12)に前後動自在乃至回転自在に軸装されるとともに前記インナーメンバ(20)に突設される係着受部(22)に係着して前後に移動する係着部(110)と、前後動する該係着部を支持する係着部支持レール(120)と、前記係着部を前記インナーメンバの引込み方向へ付勢する弾性部材(130)と、からなり、
前記係着部支持レール(120)は、前記係着部(110)の移動方向に沿って係着部を挟持するように立設される第一立上部(122a)および第二立上部(122b)と、該第一立上部(122a)に削設される前記インナーメンバの一定長の引出し時に前記係着部の係着を解除して係着部(110)を保持する保持溝(124)と、からなり、
前記係着部(110)は、前記インナーメンバ(20)の引出し時に前記インナーメンバの係着受部(22)に係着する係着凸部(112)と、前記保持溝(124)に係合する位置に突設される保持溝係合部(114)と、前記インナーメンバ(20)の引込み時に前記インナーメンバの係着受部(22)に当接して保持溝(124)と保持溝係合部(114)との係合を解除して元の位置に引込む解除スロープ(116)と、からなり、
前記弾性部材(130)は、前記係着部(110)を前記インナーメンバ(20)の引込み方向へ牽引するとともに、前記保持溝係合部(114)を前記保持溝(124)が削設された第一立上部(122a)側へ付勢するため、弾性部材の一端部(132a)を前記第一立上部(122a)側に固定設置するとともに、他端部(132b)を前記係着部の第二立上部(122b)寄りの位置に固定装着することを特徴とする引込み機構付きスライドレール。
【請求項２】
前記第二立上部(122b)は、板バネ状部材からなるとともに、前記長孔(12)の前記インナーメンバの引込み側端部に、前記第二立上げ部側に遊び溝(14)を更に穿設したことを特徴とする請求項１記載の引込み機構付きスライドレール。
【請求項３】
前記弾性部材(130)は、コイルスプリング部材からなることを特徴とする請求項１記載の引込み機構付きスライドレール。
【発明の詳細な説明】
【技術分野】
【０００１】
本発明は、電子機器、家具等の可動部に設置されるスライドレールであって、特に、アウターメンバとインナーメンバからなるスライドレールのインナーメンバの退縮収納時に、一定の位置まで引込まれた際に、自動的に最後端部まで引込んで引込み動作を自動的に完了させるための機構を装備した引込み機構付きのスライドレールに関する。
【背景技術】
【０００２】
従来より、重量のある引き戸や、キャビネット、抽斗等の移動体や収納体の摺動手段として、スライドレールが多数使用されている。スライドレールは、可動部分である抽斗等を引出し、または押戻して収納する際に生じる摩擦を軽減し、重量のある抽斗等であっても容易に引出／押戻移動が出来る点に利点がある。近年では、引込まれた抽斗等が確実に引込み動作を完了させるために、スライドレールを構成するインナーメンバの縮退収納の完了時に、インナーメンバを自動的に後端まで引込み動作を完了させる機構を有する製品が開発されて用いられている。
【０００３】
このような機構を有するスライドレールに関する技術として、例えば、特開２００９−６６１０８号公報が存在する。ここでは、弾発体と収納側端部に回転ローラーを有する弾性圧接腕からなる引込み力付加部材と、移動側メンバーの収納時に弾発体による弾性圧接腕の回動力によって移動側メンバーを最終所定位置まで引込む傾斜面が収納側端部に形成された引込み力受動部材とを有するスライドレールに関する技術が開示されている。この技術により、引込み構造を有するスライドレールを簡単な構造で安価に製作することが出来る旨が示唆されている。
【０００４】
確かに、この技術によれば、弾性圧接腕による押圧力によってスライドレールが引込まれる事となるが、弾性体による押圧力の向きとスライドレールの摺動の向きが直角であるため、必ずしも効率の良い引込み動作を行えるとは言えず、例えば抽斗が重い場合に引込み機構が作動しないという問題点があった。
【０００５】
また、特開２０１２−５３０５７１号公報には、可動家具部分の開放時に張力を与える蓄力器と、蓄力器に予張力を与えるテンション付与機構とを装備した自動引込み装置に関する技術が開示されている。この技術により、コンパクトな自動引込み装置を引出しガイドのガイドレールに簡単、確実かつ迅速に固定することが可能となる旨が示唆されている。
【０００６】
確かにこの技術によれば、スライドレールに自動引込み機構を容易に装着することが可能となるが、引込むための蓄力が常にかかった状態となるとともに、装置の脱落リスクが生じる可能性があり、自然な使用感を得られないという問題点があった。
【０００７】
更に、特開２０１３−１４６４３４号公報では、固定体に取付けられる引込みガイド部材と、移動体に取り付けられる係合部材とにより構成される自動引込み装置に関する技術が開示されている。ここでは、ねじりコイルばねの反撥力を用いて自動引込みを行う事により、引出し等のストロークに影響を与えることがなく、狭小なスペースにも使用することができる旨が開示されている。
【０００８】
確かにこの技術によれば、引出ストロークに影響を与えることなく引込み動作を行うことを可能とした自動引込み装置を構成できると考えられるが、ねじりコイルばねの反撥力が急峻であり、自然な引込み動作が行われないという虞が考えられた。また、抽斗を引出した後の誤動作により、ねじりコイルばねが、ねじられた状態から解除された場合に、復旧させるための手段がないという問題点が内在するものであった。
【０００９】
そこで、スライドレールのインナーメンバの退縮収納時に、インナーメンバが一定の位置まで引込まれた際に、インナーメンバを確実に最後端部まで引込むとともに、引出し時にインナーメンバの引込み動作を待機するための保持溝係合部が外圧等何らかの理由によって外れて弾性部材による引込み力が解除された場合であっても、容易に引込み機構を復旧することの可能となる、引込み機構付きのスライドレールを開発することが望まれていた。
【特許文献１】特開２００９−６６１０８号公報
【特許文献２】特開２０１２−５３０５７１号公報
【特許文献３】特開２０１３−１４６４３４号公報
【発明の開示】
【発明が解決しようとする課題】
【００１０】
本発明の目的は、上記の課題を解決するため、電子機器、家具等の可動部に設置されるスライドレールに関し、特に、アウターメンバとインナーメンバからなるスライドレールの退縮収納時に、一定の位置まで引込まれた際に、自動的かつ確実に最後端部まで引込んで引込み動作を自動的に完了させるとともに、何らかの理由によって係合固定してインナーメンバの引込み動作をするための弾性部材による引込み力が解除された場合であっても、容易に引込み機構を復旧する事を可能とした引込み機構付きのスライドレールを提供することを目的とする。
【課題を解決するための手段】
【００１１】
上記目的を達成するため本発明に係る引込み機構付きスライドレールは、アウターメンバと、該アウターメンバに摺動自在に保持されるインナーメンバと、前記アウターメンバとインナーメンバとの間に回転自在に設置されるボールと、該ボールを整列保持するボールリテーナと、からなり、引込み時にインナーメンバを付勢して元の位置に強制的に引込むための引込み機構が前記アウターメンバに設置される引込み機構付きスライドレールであって、前記引込み機構は、前記アウターメンバの長手方向に穿設された長孔に前後動自在乃至回転自在に軸装されるとともに前記インナーメンバに突設される係着受部に係着して前後に移動する係着部と、前後動する該係着部を支持する係着部支持レールと、前記係着部を前記インナーメンバの引込み方向へ付勢する弾性部材と、からなり、前記係着部支持レールは、前記係着部の移動方向に沿って係着部を挟持するように立設される第一立上部および第二立上部と、該第一立上部に削設される前記インナーメンバの一定長の引出し時に前記係着部の係着を解除して係着部を保持する保持溝と、からなり、前記係着部は、前記インナーメンバの引出し時に前記インナーメンバの係着受部に係着する係着凸部と、前記保持溝に係合する位置に突設される保持溝係合部と、前記インナーメンバの引込み時に前記インナーメンバの係着受部に当接して保持溝と保持溝係合部との係合を解除して元の位置に引込む解除スロープと、からなり、前記弾性部材は、前記係着部を前記インナーメンバの引込み方向へ牽引するとともに、前記保持溝係合部を前記保持溝が削設された第一立上部側へ付勢するため、弾性部材の一端部を前記第一立上部側に固定設置するとともに、他端部を前記係着部の第二立上部寄りの位置に固定装着する構成である。
【００１２】
また、前記第二立上部は、板バネ状部材からなるとともに、前記長孔の前記インナーメンバの引込み側端部に、前記第二立上げ部側に遊び溝を更に穿設した構成である。
更に、前記弾性部材は、コイルスプリング部材からなる構成である。
【発明の効果】
【００１３】
本発明に係る引込み機構付きスライドレールは、上記詳述した通りの構成であるので、以下のような効果がある。
１．弾性部材によって引込み方向へ付勢されるインナーメンバを牽引するための係着部が保持溝に係止し、インナーメンバの係着受部が引込み時に係止を解除する構成としたため、インナーメンバを充分に引出した際に弾性部材による付勢力がかからず、インナーメンバの引込み時にのみ弾性部材による付勢力によってインナーメンバが牽引される構造である為に従来の機構より負荷のかからない構成である。また、係着部に解除スロープを設けたため、保持溝と保持溝係合部の係合が容易かつスムーズに解除でき、後端までスムーズに収納させる事が可能となる。また、弾性部材の一端部を第一立上部側に固定設置するとともに、他端部を係着部の第二立上部寄りの位置に固定装着する構成としたため、長孔に前後動自在および回転自在に設置される係着部に対して軸回転する力を付与することが可能となり、係着部が回転して保持溝係合部が保持溝に係合させる事が可能となる。
【００１４】
２．第二立上部を板バネ状部材とするとともに、長孔に遊び溝を穿設したため、インナーメンバの引出し時等において、インナーメンバの引込み動作を待機する係着部の保持溝係合部が外圧等何らかの理由によって保持溝から外れ、係着部が単体で元の位置に戻る事により、弾性部材による引込み力が解除された場合であっても、係着部を遊び溝方向にずらして係着部の係着凸部に係着受部が係着した初期状態に復旧させることが可能となる。
３．弾性部材を、コイルスプリング部材としたため、充分な牽引力を得ることが可能になるとともに、耐久性を確保することが可能となる。
【発明を実施するための最良の形態】
【００１５】
以下、本発明に係る引込み機構付きスライドレールを図面に示す実施例に基づいて詳細に説明する。
図１は、本発明に係る引込み機構付きスライドレールの初期状態を示す平面図であり、図２は、インナーメンバを引出した状態の引込み機構付きスライドレールの平面図である。図３は、復旧処理を行う前の引込み機構付きスライドレールの平面図であり、図４は、復旧処理を行う際の引込み機構付きスライドレールの平面図である。図５は、スライドレールの断面図であり、図６は、引込み機構の斜視図である。
【００１６】
本発明にかかる引込み機構付きスライドレール１は、アウターメンバ１０と、インナーメンバ２０と、ボール３２を整列保持するボールリテーナ３０と、引込み機構１００と、からなり、牽引力を発生する引込み機構１００が、一定の位置に手動で引込まれたインナーメンバ２０に係着してインナーメンバ２０を自動的に元の位置（最端部）まで引込んで引込み動作を自動完了する引込み機構付きのスライドレールである。
【００１７】
アウターメンバ１０は、抽斗、可動棚等が設置されるフレーム、壁、梁等に直接またはブラケット等の結合部材により固定される部材であり、ボールリテーナ３０を介してインナーメンバ２０に接続される外部部材である。本実施例では、金属製細長板の長手方向両側を立ち上げて屈曲させて形成する構成であり、図５に示すように、横断面の長手方向の両側端を平行に抱え込んで、ボール走行面を形成し、断面略Ｃ字型の鉤型形状に形成した構成である。なお、アウターメンバ１０は、抽斗、可動棚等の可動側に装着される構成としてもよい。
【００１８】
インナーメンバ２０は、抽斗、可動棚等の可動側に装着される部材であり、ボールリテーナ３０を介して摺動自在にアウターメンバ１０に内装保持される構成である。本実施例では、図５に示すように、金属製細長板の横断面の長手方向両側端を屈曲して断面略コの字型に形成される。なお、インナーメンバ２０は、抽斗、可動棚等が設置されるフレーム、壁、梁等に直接またはブラケット等の結合部材により固定する構成としてもよい。
【００１９】
ボールリテーナ３０は、アウターメンバ１０とインナーメンバ２０との間に装着されて左右の列を成す複数のボール３２を整列保持する部材である。ボールリテーナ３０は、本実施例では、細長金属板によりアウターメンバ１０とインナーメンバ２０との間に挿入可能に形成されており、細長金属板を屈曲して形成した両腕部にボール３２を回転自在に整列保持する。詳細には、インナーメンバ２０は、アウターメンバ１０に収納された状態で、内側ボール走行面がアウターメンバ１０の外側ボール走行面と対を成すように形成されており、ボール３２は、ボールリテーナ３０の両腕部によって並列にスライドレール１の摺動方向の数箇所に複数個保持される構成である。
【００２０】
本発明に係るスライドレールは、引込み機構１００を装備する構成である。引込み機構１００は、スライドレールのインナーメンバ２０の引込み時において、一定の位置まで引込まれた際にインナーメンバ２０に係着し、付勢して、インナーメンバ２０を端部の元の位置（初期状態の最後端）に自動的・強制的に引込むための機構であり、アウターメンバ１０に設置される。
【００２１】
引込み機構１００は、図１および図６に示すように、係着部１１０と、係着部支持レール１２０と、弾性部材１３０とがアウターメンバに装着された構成からなる。係着部１１０は、収納引込み時にインナーメンバ２０に係着して牽引するための部材であり、インナーメンバ２０に突設された係着受部２２に係着することによりインナーメンバ２０を牽引して後端部の元の位置（初期状態）に引込むように作用する構造である。
【００２２】
アウターメンバ１０の引込み機構１００が設置される部分には、アウターメンバ１０の長手方向に長孔１２が穿設されるとともに、係着部１１０は、後述する回転軸１１８によって該長孔１２に軸装される構成である。この構成とすることにより、係着部１１０は、長孔１２に沿って前後動自在となるとともに、該回転軸１１８を中心に回転自在に設置されることとなる。
【００２３】
係着部支持レール１２０は、前後動する係着部１１０を支持するための断面コの字状のレール状部材であり、本実施例では、長孔１２に沿って係着部１１０を挟持するように一対の板状部材が設置される構成である。この構成とすることにより、係着部１１０が一定の角度を保って前後移動することとなる。
【００２４】
弾性部材１３０は、係着部１１０をインナーメンバ２０の引込み方向へ牽引付勢するための部材である。弾性部材１３０は、本実施例では、一端が引込み機構１００のインナーメンバ２０を引込む側の端部（後端付近）の第一立上部１２２ａ側に接続され、他端（先端）が係着部１１０に接続される。係着部１１０は、弾性部材１３０に牽引付勢されながら、長孔１２を前後動する構成である。
【００２５】
係着部支持レール１２０は、図１および図６に示すように、第一立上部１２２ａおよび第二立上部１２２ｂと、第一立上部１２２ａ側に削設された保持溝１２４とからなる構成である。第一立上部１２２ａおよび第二立上部１２２ｂは、係着部１１０を安定して前後動させるための部材であり、係着部１１０の前後の移動方向に沿って係着部１１０を挟持するように断面コの字形で平行に立設される板状部材からなる。
【００２６】
本実施例では、係着部支持レール１２０を構成する第一立上部１２２ａおよび第二立上部１２２ｂは、各々別部材からなる構成である。すなわち、第一立上部１２２ａおよび第二立上部１２２ｂは、各々断面Ｌ字型の部材からなり、各Ｌ字形状を相互に向かい合わせた状態で、各Ｌ字形状の水平部分を重畳して連結して断面コの字型を形成している。後述するように、第二立上部１２２ｂはバネ板部材からなるため、このように別部材とすることにより、係着部支持レール１２０の安定性と機能性を確保することが可能となる。なお、係着部支持レール１２０を一の部材で形成する構成とすることも、勿論可能である。
【００２７】
弾性部材１３０は、より詳細には、本実施例では、図１に示すように、一端部１３２ａを引込み機構１００のインナーメンバ２０を引込み側の端部であって第一立上部１２２ａ側に固定設置し、他端部１３２ｂを係着部１１０の第二立上部１２２ｂ寄りの位置に固定装着する構成である。この構成とすることにより、係着部１１０をインナーメンバ２０の引込み方向へ牽引することを可能とするとともに、後述する係着部１１０の保持溝係合部１１４側（インナーメンバ２０の後端部側）を第一立上部１２２ａ側へ軸回転させる付勢力を得ることが可能となる。
【００２８】
係着部１１０は、図１および図６に示すように、インナーメンバ２０と係合する係着凸部１１２と、アウターメンバ１０に設置される係着部支持レール１２０に設けられた保持溝１２４と係合する保持溝係合部１１４と、インナーメンバ２０の係着受部２２と当接する解除スロープ１１６と、回転軸１１８と、からなる。係着凸部１１２は、インナーメンバ２０を引出す際に、インナーメンバ２０に突設された係着受部２２に当接係着する凸状部材であり、本実施例では、係着部１１０のインナーメンバ２０引出し方向の端部に延設される略半円形状の突片体からなる。係着凸部１１２が係着受部２２に当接係着することにより、インナーメンバ２０の引出し動作に伴い、係着部１１０は引出し方向へ移動する構成である。
【００２９】
保持溝係合部１１４は、インナーメンバ２０が一定長引出された際に、保持溝１２４に係合する位置に延設される突片体であり、本実施例では、係着部１１０のインナーメンバ２０引込み方向の端部（回転軸１１８を介して係着凸部１１２の反対側）に延設される略方形状の突片体からなる。インナーメンバ２０の引出し動作時に、軸回転するように付勢された係着部１１０の保持溝係合部１１４が第一立上部１２２ａに向けて付勢され、第一立上部１２２ａに沿って摺動することで係着部１１０の姿勢を保つ力と弾性部材１３０の牽引力とのバランスを取りながら姿勢を保って移動し、保持溝係合部１１４が保持溝１２４に到達した際に、係着部１１０が長孔１２に軸装される回転軸１１８を中心に弾性部材１３０によって付勢されている第一立上部１１２ａ方向に回転しながら保持溝１２４に係合する。これと同時に、該回転軸１１８を介して反対側にある係着凸部１１２と係着受部２２との係着が解除される。これにより、係着部１１０が開放されてその場に固定保持される。
【００３０】
解除スロープ１１６は、インナーメンバ２０の引込み動作時に、インナーメンバ２０の係着受部２２に当接する位置に設けられる傾斜体であり、本実施例では、図１に示すように、係着部１１０の回転軸１１８と保持溝係合部１１４との間に設けられるスロープを形成する略三角形の傾斜体からなる。インナーメンバ２０の引込み動作時に、係着受部２２が解除スロープ１１６上を押圧移動することにより係着部１１０が軸回転して保持溝１２４と保持溝係合部１１４との係合が解除される。これにより、係着部１１０が弾性部材１３０によって牽引付勢され、元の位置に引込み力を得ることが可能となる。
【００３１】
保持溝１２４は、図１および図６に示すように、係着部支持レール１２０の第一立上部１１２ａに削設される係止溝孔である。インナーメンバ２０引出し時において、インナーメンバ２０が一定長引出された際に、インナーメンバ２０の係着受部２２と係着部１１０の係着凸部１１２との係着を解除するとともに、係着部１１０の保持溝係合部１１４が保持溝１２４に係合して係着部１１０をその場で固定保持する役割を果たす。本実施例では、保持溝１２４は、第一立上部１２２ａに削設される。これにより、インナーメンバ２０が一定長引出された後は、係着部１１０による牽引力が働かなくなるようにすることが出来るため、一定長引出し後にインナーメンバ２０を静止させることが可能となる。
【００３２】
以下、本発明に係る引込み機構付きスライドレール１の動作を説明する。
まず、インナーメンバ２０は、後端部の元の位置（初期状態）に配置された状態となっている。このとき、係着部１１０の係着凸部１１２は、係着受部２２に係着した状態となっている。インナーメンバ２０を引出し方向へ移動させると、係着受部２２が係着凸部１１２に係着して係着部１１０を引出し方向へ牽引移動させる。係着部１１０は、第一立上部１２２ａおよび第二立上部１２２ｂによって挟持され姿勢が保たれた状態で回転軸１１８が軸装される長孔１２に沿って移動する。このとき、弾性部材１３０は徐々に引き延ばされ、緊縮する付勢力が蓄積されていく。また、係着部１１０は、弾性部材１３０により保持溝係合部１１４を保持溝１２４が削設された第一立上部１２２ａ側へ回転軸１１８を中心として軸回転させる付勢力を得ており、軸回転するように付勢された係着部１１０の保持溝係合部１１４が第一立上部１２２ａ側に付勢されて第一立上部１１２ａに沿ってバランスよく摺動する。
【００３３】
インナーメンバ２０が引出され、係着部１１０が保持溝１２４近傍に到達する。このとき、弾性部材１３０の縦方向の付勢力により、係着部１１０は保持溝係合部１１４が第一立上部１２２ａ側へ付勢されているため、図２に示すように、保持溝１２４が削設された位置に係着部１１０の保持溝係合部１１４が到達すると、弾性部材１３０の付勢力により係着部１１０が回転軸１１８を中心に軸回転して保持溝係合部１１４が保持溝１２４に係合する事となる。更に、これと同時に係着凸部１１２は第二立上部１２２ｂ側に軸回転し、係着凸部１１２と係着受部２２の当接係着が解除される。これにより、インナーメンバ２０は、係着部１１０の係着から解除され、弾性部材１３０の付勢力からも解放される事となる。また、係着部１１０は、弾性部材１３０の付勢力を保持したまま保持溝１２４近傍で固定保持され係着待機する事となる。
【００３４】
インナーメンバ２０の引込み動作時には、弾性部材１３０の付勢力から解放されているインナーメンバ２０は、手動等によって引込まれ、係着受部２２が保持溝１２４近傍に到達する。このとき、係着受部２２が解除スロープ１１６上を押圧移動することで、係着部１１０が回転軸１１８を中心に軸回転し、保持溝係合部１１４が第二立上部１２２ｂ側に軸回転して、保持溝１２４と保持溝係合部１１４との係合が解除される。これと同時に係着凸部１１２は第一立上部１２２ａ側に軸回転する。これにより、弾性部材１３０の付勢力が係着凸部１１２を介して係着受部２２に伝達され、インナーメンバ２０を元の位置（初期状態）へ引込む牽引力が得られる。
【００３５】
すなわち、上記構造とすることにより、インナーメンバ２０の引込み収納時において、一定の位置まで引込まれた際に、自動的に最後端部（初期位置）まで引込んで引込み動作を自動的に完了させるための機構を構成することが可能となった。
【００３６】
本発明に係る引込み機構付きスライドレール１は、第二立上部１２２ｂが板バネ状部材からなるとともに、長孔１２のインナーメンバ２０引込み側端部の第二立上部１２２ｂ側に遊び溝１４を更に穿設した構成である。
【００３７】
インナーメンバ２０の引出し時には、前述のように、係着部１１０が弾性部材１３０の付勢力を保持したまま保持溝１２４近傍で係着待機する構成であるが、振動や衝撃など外部からの圧力等によって、図３に示すように、該係着待機状態が予期せず解除される可能性が考えられる。この状態では、係着部１１０の係着凸部１１２と係着受部２２とを係着させることが出来ないため、インナーメンバ２０を自動的に引込む牽引付勢力が得られない事となり、図１に示すような初期状態において係着凸部１１２を係着受部２２に係着させた状態に復旧させる必要が生じることとなる。
【００３８】
対策として、第二立上部１２２ｂを板バネ状部材（バネ材）とし、長孔１２に遊び溝１４を設ける構成とすることにより、図４に示すように、遊び溝１４に回転軸１１８が嵌り、係着受部２２が係着凸部１１２を介して係着部１１０を押圧移動させることが可能となる。更にインナーメンバ２０の引込み動作を行うと、板バネ状部材からなる第二立上部１２２ｂの反発力によって係着部１１０の位置と姿勢が元に戻り、係着凸部１１２が係着受部２２に係着した状態となる。すなわち、係着部１１０を単体で元の位置に戻す事が可能となり、弾性部材１３０による引込み力が解除された場合であっても、係着部１１０を遊び溝１４方向にずらして係着凸部１１２に係着受部２２が係着した初期状態に復旧させることが可能となる。
【００３９】
弾性部材１３０は、本実施例では、コイルスプリング部材からなる構成である。この構成とすることにより、インナーメンバ２０を牽引するために必要かつ充分な力を得ることが可能になるとともに、耐久性を確保することが可能となった。なお、弾性部材１３０は、コイルスプリング部材に限定されることはなく、スライドレールの重量や必要とされる牽引力に応じて、ゴム等あらゆる材質を適宜選択して使用することが可能である。
【図面の簡単な説明】
【００４０】
【図１】本発明に係る引込み機構付きスライドレールの初期状態を示す平面図
【図２】インナーメンバを引出した状態の引込み機構付きスライドレールの平面図
【図３】復旧処理を行う前の引込み機構付きスライドレールの平面図
【図４】復旧処理を行う際の引込み機構付きスライドレールの平面図
【図５】スライドレールの断面図
【図６】引込み機構の斜視図
【符号の説明】
【００４１】
１    引込み機構付きスライドレール
１０    アウターメンバ
１２    長孔
１４    遊び溝
２０    インナーメンバ
２２    係着受部
３０    ボールリテーナ
３２    ボール
１００    引込み機構
１１０    係着部
１１２    係着凸部
１１４    保持溝係合部
１１６    解除スロープ
１１８    回転軸
１２０    係着部支持レール
１２２ａ    第一立上部
１２２ｂ    第二立上部
１２４    保持溝
１３０    弾性部材
１３２ａ    一端部
１３２ｂ    他端部
【図１】
2019205630.tif 000003
【図２】
2019205630.tif 000004
【図３】
2019205630.tif 000005
【図４】
2019205630.tif 000006
【図５】
2019205630.tif 000007
【図６】
2019205630.tif 000008
【手続補正書】
【提出日】令和1年7月25日(2019.7.25)
【手続補正１】
【補正対象書類名】特許請求の範囲
【補正対象項目名】全文
【補正方法】変更
【補正の内容】
【特許請求の範囲】
【請求項１】
アウターメンバ(10)と、該アウターメンバに摺動自在に保持されるインナーメンバ(20)と、前記アウターメンバとインナーメンバとの間に回転自在に設置されるボール(32)と、該ボールを整列保持するボールリテーナ(30)と、からなり、引込み時にインナーメンバを付勢して元の位置に強制的に引込むための引込み機構(100)が前記アウターメンバ(10)に設置される引込み機構付きスライドレールにおいて、
前記引込み機構(100)は、前記アウターメンバ(10)の長手方向に穿設された長孔(12)に前後動自在乃至回転自在に軸装されるとともに前記インナーメンバ(20)に突設される係着受部(22)に係着して前後に移動する係着部(110)と、前後動する該係着部を支持する係着部支持レール(120)と、前記係着部を前記インナーメンバの引込み方向へ付勢する弾性部材(130)と、からなり、
前記係着部支持レール(120)は、前記係着部(110)の移動方向に沿って係着部を挟持するように立設される第一立上部(122a)および第二立上部(122b)と、該第一立上部(122a)に削設される前記インナーメンバの一定長の引出し時に前記係着部の係着を解除して係着部(110)を保持する保持溝(124)と、からなり、
前記係着部(110)は、前記インナーメンバ(20)の引出し時に前記インナーメンバの係着受部(22)に係着する係着凸部(112)と、前記保持溝(124)に係合する位置に突設される保持溝係合部(114)と、前記インナーメンバ(20)の引込み時に前記インナーメンバの係着受部(22)に当接して保持溝(124)と保持溝係合部(114)との係合を解除して元の位置に引込む解除スロープ(116)と、からなり、
前記弾性部材(130)は、前記係着部(110)を前記インナーメンバ(20)の引込み方向へ牽引するとともに、前記保持溝係合部(114)を前記保持溝(124)が削設された第一立上部(122a)側へ付勢するため、弾性部材の一端部(132a)を前記第一立上部(122a)側に固定設置するとともに、他端部(132b)を前記係着部の第二立上部(122b)寄りの位置に固定装着することを特徴とする引込み機構付きスライドレール。
【請求項２】
前記第二立上部(122b)は、板バネ状部材からなるとともに、前記長孔(12)の前記インナーメンバの引込み側端部に、前記第二立上部側に遊び溝(14)を更に穿設したことを特徴とする請求項１記載の引込み機構付きスライドレール。
【請求項３】
前記弾性部材(130)は、コイルスプリング部材からなることを特徴とする請求項１記載の引込み機構付きスライドレール。
【手続補正２】
【補正対象書類名】明細書
【補正対象項目名】００１２
【補正方法】変更
【補正の内容】
【００１２】
また、前記第二立上部は、板バネ状部材からなるとともに、前記長孔の前記インナーメンバの引込み側端部に、前記第二立上部側に遊び溝を更に穿設した構成である。
更に、前記弾性部材は、コイルスプリング部材からなる構成である。